(57)【要約】【課題】飾り箱体を適宜に分解可能にすると共に、分解後の各部材を組み換えることにより複数の写真立てとして機能させることができる組立分解自在な飾り用箱体を提供する。【解決手段】所定肉厚の矩形板からなる４枚の側面板２１、２２、天面板３、及び底面板４、とから構成した矩形六面体の箱体であって、隣接直交する上記２枚の各面板の一方側の面板の端面と他方側の端面の縁辺部を着脱自在の接着手段である複数の磁石５によって保形すると共に、前記天面板３、底面板４の両方の片面側に前記１の側面板が自立保持し得る保持手段を形成して構成する。側面板は、前後板２１及び左右板２２から成る２種２対の形状とすると共に、何れも写真保持枠として機能するように構成する。天面板及び底面板は着脱自在な２個の分割体３１、４１から構成し、各分割体には保持手段として篏合溝３２、４２を形成する。【選択図】図１
2020179922.tif 000002
【特許請求の範囲】
【請求項１】
それぞれ所定肉厚の矩形板からなる４枚の側面板、天面板、及び底面板、とから構成した矩形六面体の箱体であって、
隣接直交する上記２枚の各面板の一方側の面板の端面と他方側の端面の縁辺部を着脱自在の接着手段で保形すると共に、
前記天面板、底面板のいずれか又は両方の片面側に前記１の側面板が自立保持し得る保持手段を形成して成ることを特徴とする組立分解自在な飾り用箱体。
【請求項２】
前記４枚の側面板が、
同一形状又は２種２対の形状であることを特徴とする請求項１記載の組立分解自在な飾り用箱体。
【請求項３】
前記側面板に飾り保持枠、装飾仕様、写真保持枠、等の装飾手段を設けたことを特徴とする請求項１、又は２記載の組立分解自在な飾り用箱体。
【請求項４】
前記天面板、底面板のいずれか又は両方のそれぞれを着脱自在な分割体として、それぞれの分割体に前記保持手段を形成したことを特徴とする請求項１、２、又は３記載の組立分解自在な飾り用箱体。
【請求項５】
前記保持手段が、
前記１の側面板の端面が適合嵌合して自立し得る嵌合溝であることを特徴とする請求項１、２、３、又は４記載の組立分解自在な飾り用箱体。
【請求項６】
前記着脱自在の接着手段が、
前記面板の所要箇所に面一に埋め込んだ磁石、面ファスナー、であることを特徴とする請求項１、２、３、４、又は５記載の組立分解自在な飾り用箱体。
【請求項７】
前記着脱自在の接着手段が、
前記面板の所要箇所に形成配置したダボ構造であることを特徴とする請求項１、２、３、４、５、又は６記載の組立分解自在な飾り用箱体。
【発明の詳細な説明】
【技術分野】
【０００１】
本願に係る発明（以下、「本発明」という。）は、記念品や思い出の品等を収納可能な箱体に関し、特に、箱体の組立や分解が自在な飾り用箱体に関する。
【背景技術】
【０００２】
昨今、ペットを飼っている家庭においては、ペットを家族と同等に扱う傾向が増加している。このような家庭においては、ペットが亡くなると、遺影やその遺骨の一部を手元に置いておきたいとの強い希望があった。
【０００３】
このような希望に沿うものとして、記念品や遺品を収納して保管が可能であると共に、花や写真等を飾ることができるように構成した飾り用箱体が存在していた。
【０００４】
例えば、特許文献１に示す供養箱が提供されていた。この供養箱は、ペットの遺骨類の収納部を内部に有する箱状体本体と、箱状体の収納部上端に繋止具で連結され内面に護符等を祀る蓋部と、ペットの遺影を飾る箱状体前面に設けられた額部とで構成され、収納部と蓋部との間にはペットの名前を記載した内蓋を設けたことを特徴としていた。
【０００５】
また、特許文献２に示す容器兼用の写真立ても提供されていた。この写真立ては、台盤上面に横長孔状を矩形を成すように形成し、この孔に矩形板状の写真立てを立設配置して周回状壁面を備える容器状に形成したことを特徴としていた。
【先行技術文献】
【特許文献】
【０００６】
【特許文献１】特許第３８０１６１０号公報
【特許文献２】実開昭５４−１９１９７号公報
【発明の概要】
【発明が解決しようとする課題】
【０００７】
上記特許文献の各箱体は、外観や構成にもコンパクト性がある上、インテリア性に富んだものであった。その一方、機能としては完成した箱体であるため、飾り用箱体としての用途に限定されるものであった。
【０００８】
例えば、箱体をペット用として使用する場合、内部にペット等の思い出の品等の物品を収納できる他、蓋内側面や側面部分にその写真等も飾り用付けすることもできた。その一方、箱体を構成する各部材を適宜に分解した上で各部材を個別に利用できるような機能は無く、分解後は必要により再組立することも難しく、その使用方法は限定的にならざるを得なかった。
【０００９】
そこで、本発明は上述した課題の解決を図るべくなされたものであり、飾り用箱体を適宜に分解可能とすると共に、分解後の各部材を組み換えることにより別個の機能を発揮させることができる組立分解自在な飾り用箱体を提供するものである。
【課題を解決するための手段】
【００１０】
上記の課題を解決するために、本発明にかかる組立分解自在な飾り用箱体は、以下のように構成している。
【００１１】
すなわち、それぞれ所定肉厚の矩形板からなる４枚の側面板、天面板、及び底面板、とから構成した矩形六面体の箱体であって、隣接直交する上記２枚の各面板の一方側の面板の端面と他方側の端面の縁辺部を着脱自在の接着手段で保形すると共に、前記天面板、底面板のいずれか又は両方の片面側に前記１の側面板が自立保持し得る保持手段を形成して成ることを特徴としている。
【００１２】
また、前記４枚の側面板は、同一形状又は２種２対の形状としてもよく、前記側面板には飾り用保持枠、装飾仕様、写真保持枠、等の装飾手段を設けるようにしてもよい。
【００１３】
さらに、前記天面板、底面板のいずれか又は両方のそれぞれを着脱自在な分割体として、それぞれの分割体に前記保持手段を形成すると共に、この保持手段は前記１の側面板の端面が適合嵌合して自立し得る嵌合溝であることを特徴としている。
【００１４】
加えて、前記着脱自在の接着手段が、前記面板の所要箇所に面一に埋め込んだ磁石、面ファスナー、前記面板の所要箇所に形成配置したダボ構造であることを特徴としている。
【発明の効果】
【００１５】
上記のように構成した本発明にかかる組立分解自在な飾り用箱体は、以下の効果を発揮する。
【００１６】
すなわち、飾り用箱体は適宜に組立分解が自在のため、物を収納したり側面板に装飾を施して利用できる他、必要により分解して天面板又は底面板で側面板を保持する複数の写真立てとしても利用ができる。
【００１７】
つまり、箱体を複数用途に使用することが可能となる。例えば、ペット用品としての使用を想定した場合、ペット生存時には複数の写真立てとして写真を並べて飾ったり、異なる場所に飾る等できる。
【００１８】
その一方、ペットが亡くなった後には箱体に組立て、側面全てを写真保持枠として利用できるだけでなく、内部にペットとの思い出の品や遺骨用の壺を収納することができ、一種の祭壇若しくはモニュメントとしても使用することもできる。
【図面の簡単な説明】
【００１９】
【図１】本発明にかかる実施形態（以下、「本実施例」と称する。）の分解組立斜視図である。
【図２】本実施例の全体斜視図（Ａ）、（Ｂ）である。
【図３】本実施例の側面板の前後板と左右板の組立斜視図（Ａ）、（Ｂ）である。
【図４】本実施例の天面板を示す斜視図である。
【図５】本実施例の側面板を底面板の分割体で保持する状態を示す斜視図（Ａ）と、側面板を天面板の分割体で保持する状態を示す斜視図（Ｂ）である。
【図６】本実施例の着脱状況を示す斜視図である。
【図７】本実施例の内部に壺を収納した状態を示す斜視図である。
【発明を実施するための形態】
【００２０】
以下に、本実施例にかかる組立分解自在な飾り用箱体（以下、「本箱体」と称する。）について、図面に基づいて説明する。なお、以下の説明において、本箱体は、図１の組立図を基準とすると、左下側を「前側」と、右上側を「後側」と、左上側を「左側」と、右下側を「右側」と、上下側をそれぞれ「上側」、「下側」と定義する。
【００２１】
図１、及び図２の図符号１は、本箱体である。本箱体１は、複数の矩形板を特定の接着手段をもって矩形六面体に接着して成り、内部に収納空間を形成した組立箱体である。
【００２２】
［本箱体の概要］
本箱体１を構成する上記複数の矩形板は、前後左右の側面部分に配置され、縦横寸法を同じとする４枚の側面板２と、上側に配置される天面板３と、下側に配置される底面板４と、から構成している。天面板３の上端面は各側面板２の上端面と面一とし、底面板４の下端面は各側面板２の下端面と面一としている。また、本箱体１の接着手段は後述する各矩形板の必要箇所に面一に埋め込んだ複数の磁石５となっている。
【００２３】
［側面板について］
まず、側面板２から説明する。側面板２は前後の側面に配置される前後板２１と、左右の側面に配置される左右板２２とから成り、前後板２１及び左右板２２はそれぞれ外観上ほぼ同一形状の２種２対の形状となっている。各側面板２の配置関係としては、対向配置した左右板２２の側端面を前後板２１の面板の縁辺部で挟み込むようにしている。以下、前後板２１と左右板２２について詳述する。なお、本実施例では側面板２を前後板２１と側面板２の２種形状としているが、全てを同一形状としてもよい。
【００２４】
［前後板について］
前後板２１は、４隅を丸め加工すると共に中央に開口部２１ｂを形成した矩形枠状の保持枠２１ａと、保持枠２１ａの開口部２１ｂの一方側の面板を閉塞するように４個の止具２３をもって取り外し自在に配置した裏板２４と、から構成している。以降、裏板２４の配置側の面板を前後板２１の「裏面」と称し、逆面を「表面」と称して説明に用いる。
【００２５】
また、裏板２４は上記開口部２１ｂよりも縦横の寸法を若干大きくしており、保持枠２１ａの内側には裏板２４が面一に収まる段差を周回状に形成している。
【００２６】
かかる構成の前後板２１は、写真ｆや絵画等を保持する写真保持枠（いわゆるフォトフレーム）として機能する。このため、保持枠２１ａの表面には、刻印や彩色又は焼印等による装飾を施してもよく、開口部２１ｂには必要によってガラス板やアクリル板等の透明部材を固定配置する等、いわゆる写真保持枠としての装飾仕様を向上させてもよい。
【００２７】
この前後板２１には、接着手段として裏面側の保持枠２１ａに複数の磁石５を配置している。磁石５は円柱状を成し、上下の保持枠２１ａの裏面側の各２箇所、左右の保持枠２１ａの裏面側の各２箇所の合計８箇所において、保持枠２１ａに面板と面一に埋め込まれている。この結果、前後板２１は裏面側の上下左右の縁辺部に磁石５が配置されている。
【００２８】
［左右板について］
次に、左右板２２について説明する。左右板２２は、複数箇所（本実施例では２箇所）に草花の輪郭形状のくり貫き部２２ｂを貫通加工すると共に上下端部に曲面を形成した装飾枠２２ａと、左右板２２の一方側の面板を閉塞するように４個の止具２３をもって取り外し自在に配置した裏板２４と、から構成している。左右板２２についても、裏板２４の配置側の面板を左右板２２の「裏面」と称し、逆面を「表面」と称して説明に用いる。この説明に従うと、上記の装飾枠２２ａの曲面加工は表面側のみとなっている。
【００２９】
左右板２２の裏板２４は、前後板２１のものと共通部材であり、左右板２２の裏面にも裏板２４が面一に収納され得る段差面を形成している。
【００３０】
また、かかる構成の左右板２２も、前後板２１と同様に写真ｆや絵画等を保持する写真保持枠として機能する。左右板２２の表面側には、貫通加工した草花の輪郭形状のくり貫き部２２ｂの他、幾何模様のくり貫き部を貫通加工してもよく、その他にも適宜に刻印や彩色又は焼印等による装飾を施してもよい。加えて、くり貫き部２２ｂにガラス板等の透明部材を固定配置して装飾仕様をより向上させてもよい。
【００３１】
左右板２２には、前後板２１と同様に接着手段として複数の磁石５を配置している。磁石５は前後板２１とは同一寸法の円柱状を成し、装飾枠２２ａの裏面側の面板上下の各２箇所、装飾枠２２ａの左右側の端面の各２箇所の合計８箇所において、各面と面一に埋め込まれている。この結果、左右板２２は裏面側の上下縁辺部と左右端面に磁石５が配置されている。なお、端面に配置された２箇所の磁石５は、前後板２１の保持枠２１ａの左右２箇所の上下に配置された磁石５と接着時に対向する。
【００３２】
［天面板について］
天面板３は着脱自在の２個の分割体３１から構成している。分割体３１は天面板３の中央部を左右方向へ分割することによって前側と後側に分離し、側面板２と比べて肉厚寸法の同一形状の矩形ブロック状を呈している。
【００３３】
また、各分割体３１の下面側には左右に横断するように切り欠いた篏合溝３２を前側の分割体３１は前側に偏って形成し、後側の分割体３１は後側に偏って形成している。この篏合溝３２は、両側壁面に所定の傾斜角を有し、篏合溝３２の内部に上記側面板２の下端縁辺部が挿入可能な幅に形成している。
【００３４】
各分割体３１には、接着手段として複数の磁石５を配置している。磁石５は各側面板２とは同一寸法の円柱状を成し、分割体３１の各側面の４面に面一に埋め込まれている。
【００３５】
ここで、天面板３を構成する場合に前側に配置される分割体３１について、その磁石５を配置する位置について説明すると、前側の側面部の上方に偏った位置に所定間隔で２箇所配置し、左右側面部は前側上方にやや偏った位置の各１箇所に配置し、後側側面部は中央高さに所定間隔で２箇所配置している。
【００３６】
その一方、天面板３の後側に配置される分割体３１は、天面板３における左右方向の分割線を基準にした鏡写しの位置において同数の磁石５を配置している。
【００３７】
［底面板について］
底面板４は、天面板３と同様に着脱自在に２個の分割体４１で構成される点で共通している。そして、各分割体４１は、天面板３の分割体３１と同一形状であり、当然に篏合溝４２の形成位置も同じとなっている。つまり、底面板４の分割体３１と天面板３は外形寸法を同じとする共通部材となっている。
【００３８】
その一方で本箱体１において配置する場所が天面板３とは異なるため、各側面板２と接着する関係上、磁石５を配置する位置のみが異なる態様となっている。なお、磁石５は円柱状を成し、各側面と面一に埋め込まれていることは天面板３と共通である。
【００３９】
ここで、分割体４１に磁石５を配置する位置は、前側の分割体４１に基づき説明すると、前側側面部の下方に偏った位置に所定間隔で２箇所配置し、左右側面部は前側下方にやや偏った位置の各１箇所に配置し、後側側面部は中央高さに所定間隔で２箇所配置している。そして、後側に配置される分割体４１は、天面板３と同様に、左右方向の分割線を基準にした鏡写しの位置に同数の磁石５を配置している。
【００４０】
［写真立てへの組み換え］
上記構成の天面板３及び底面板４は、磁石５を配置する位置は異なるものの、同一形状の４個の分割体３１、４１となる。そして、各分割体３１、４１の天地をひっくり返して篏合溝３２、４２を上側にして載置すると、図５に示すように、篏合溝３２、４２に前後板２１及び左右板２２の下端縁辺部を篏合させて保持することができ、前後板２１及び左右板２２は自立することができる。この結果、本箱体１は、４セットの写真立てに組み換えることができる。
【００４１】
［本箱体の組立て］
本箱体１は、上記のように前後板２１、左右板２２、天面板３、底面板４に接着手段として磁石５を配置している。ここでは、本箱体１の各板の面板や端面に配置した磁石５を対向状に接合又は近接させて組立てる手順の一例を、図６に基づき説明する。なお、本箱体１は、磁石５の機能によって着脱自在であるため、下記の組立手順に限定するものではない。
【００４２】
まず、２個の分割体４１を接着して底面板４を形成する。この底面板４の側面部に後側の前後板２１と左側の左右板２２とを接着して配置する。この接着においては、前後板２１は下側の縁辺部の磁石５と底面板４の後側の磁石５が対向するため、互いの縁辺部どうしが吸着して接着する。また、左右板２２は下側の縁辺部の磁石５と底面板４の左側側面部の磁石５が対向するため、互いの縁辺部どうしが吸着して接着する。さらに、前後板２１の左側保持枠２１ａの面板側に配置した磁石５と左右板２２の装飾枠２２ａの端面側に配置した磁石５が対向するため、互いの縁辺部どうしが吸着して接着する。
【００４３】
次に、２個の分割体３１を接着して成る天面板３に対し、その側面部や後側面に配置した磁石５と後側の前後板２１と左側の左右板２２の上側の縁辺部に配置した磁石５とを近接させて接着する。
【００４４】
天面板３の接着後には、右側の左右板２２を磁石を近接させて接着させ、その後に前側の前後板２１を同様に接着させて本箱体１の組立が完了する。
【００４５】
本箱体１は、前後板２１及び左右板２２から成る側面板２や天面板３が着脱自在のため、適宜に取り外して内部に適宜な物品を収納することができる。例えば、ペット生存時には複数の写真立てとして組み換えて使用でき、亡くなった後には本箱体１に組立て、内部に思い出の品の他、遺骨用の壺ｍを収納したり、４面の写真を保持する祭壇として使用してもよい。
【００４６】
［他の実施例］
本箱体１は、接着手段として各板の面板や端面の縁辺部に埋め込み配置した円柱状の磁石５を用いている。しかし、接着手段としてはこれに限定するものではない。
【００４７】
例えば、円柱状の磁石をダボに変更すると共に、各板にはダボ穴を形成して互いに篏合させるダボ構造を採用することも可能である。このダボ構造の他にも着脱性を考慮し、面ファスナー構造を各板の縁辺部に配置してもよい。
【符号の説明】
【００４８】
１  本箱体
２  側面板
２１  前後板
２１ａ  保持枠
２１ｂ  開口部
２２  左右板
２２ａ  装飾枠
２２ｂ  くり貫き部
２３  止具
２４  裏板
３  天面板
３１  分割体
３２  篏合溝
４  底面板
４１  分割体
４２  篏合溝
５  磁石
ｆ  写真
ｍ  壺
【図１】
2020179922.tif 000003
【図２】
2020179922.tif 000004
【図３】
2020179922.tif 000005
【図４】
2020179922.tif 000006
【図５】
2020179922.tif 000007
【図６】
2020179922.tif 000008
【図７】
2020179922.tif 000009
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
それぞれ所定肉厚の矩形板からなる４枚の側面板、天面板、及び底面板、とから構成した矩形六面体の箱体であって、
隣接直交する上記４枚の側面板、天面板、及び底面板のうちの２枚の各面板の一方側の面板の端面と他方側の端面の縁辺部を着脱自在の接着手段で保形すると共に、
前記天面板、底面板のいずれか又は両方の片面側に前記４枚の側面板のうちの１枚の側面板が自立保持し得る保持手段を形成して成り、
かつ該保持手段が、前記１枚の側面板の端面が適合嵌合して自立し得る嵌合溝であることを特徴とする組立分解自在な飾り用箱体。
【請求項２】
前記４枚の側面板が、
同一形状又は２種２対の形状であることを特徴とする請求項１記載の組立分解自在な飾り用箱体。
【請求項３】
前記側面板に飾り保持枠、装飾仕様、写真保持枠、等の装飾手段を設けたことを特徴とする請求項１、又は２記載の組立分解自在な飾り用箱体。
【請求項４】
前記天面板、底面板のいずれか又は両方のそれぞれを着脱自在な分割体として、それぞれの分割体に前記保持手段を形成したことを特徴とする請求項１、２、又は３記載の組立分解自在な飾り用箱体。
【請求項５】
前記着脱自在の接着手段が、
前記面板の所要箇所に面一に埋め込んだ磁石、面ファスナー、であることを特徴とする請求項１、２、３、又は４記載の組立分解自在な飾り用箱体。
【請求項６】
前記着脱自在の接着手段が、
前記面板の所要箇所に形成配置したダボ構造であることを特徴とする請求項１、２、３、４、又は５記載の組立分解自在な飾り用箱体。
【手続補正２】
【補正対象書類名】明細書
【補正対象項目名】００１１
【補正方法】変更
【補正の内容】
【００１１】
すなわち、それぞれ所定肉厚の矩形板からなる４枚の側面板、天面板、及び底面板、とから構成した矩形六面体の箱体であって、隣接直交する上記４枚の側面板、天面板、及び底面板のうちの２枚の各面板の一方側の面板の端面と他方側の端面の縁辺部を着脱自在の接着手段で保形すると共に、前記天面板、底面板のいずれか又は両方の片面側に前記４枚の側面板のうちの１枚の側面板が自立保持し得る保持手段を形成して成り、かつ該保持手段が、前記１枚の側面板の端面が適合嵌合して自立し得る嵌合溝であることを特徴としている。
【手続補正３】
【補正対象書類名】明細書
【補正対象項目名】００１３
【補正方法】変更
【補正の内容】
【００１３】
さらに、前記天面板、底面板のいずれか又は両方のそれぞれを着脱自在な分割体として、それぞれの分割体に前記保持手段を形成したことを特徴としている。
【手続補正４】
【補正対象書類名】明細書
【補正対象項目名】００３３
【補正方法】変更
【補正の内容】
【００３３】
また、各分割体３１の下面側には左右に横断するように切り欠いた嵌合溝３２を前側の分割体３１は前側に偏って形成し、後側の分割体３１は後側に偏って形成している。この嵌合溝３２は、両側壁面に所定の傾斜角を有し、嵌合溝３２の内部に上記側面板２の下端縁辺部が挿入可能な幅に形成している。
【手続補正５】
【補正対象書類名】明細書
【補正対象項目名】００３７
【補正方法】変更
【補正の内容】
【００３７】
［底面板について］
底面板４は、天面板３と同様に着脱自在に２個の分割体４１で構成される点で共通している。そして、各分割体４１は、天面板３の分割体３１と同一形状であり、当然に嵌合溝４２の形成位置も同じとなっている。つまり、底面板４の分割体３１と天面板３は外形寸法を同じとする共通部材となっている。
【手続補正６】
【補正対象書類名】明細書
【補正対象項目名】００４０
【補正方法】変更
【補正の内容】
【００４０】
［写真立てへの組み換え］
上記構成の天面板３及び底面板４は、磁石５を配置する位置は異なるものの、同一形状の４個の分割体３１、４１となる。そして、各分割体３１、４１の天地をひっくり返して嵌合溝３２、４２を上側にして載置すると、図５に示すように、嵌合溝３２、４２に前後板２１及び左右板２２の下端縁辺部を嵌合させて保持することができ、前後板２１及び左右板２２は自立することができる。この結果、本箱体１は、４セットの写真立てに組み換えることができる。
【手続補正７】
【補正対象書類名】明細書
【補正対象項目名】００４７
【補正方法】変更
【補正の内容】
【００４７】
例えば、円柱状の磁石をダボに変更すると共に、各板にはダボ穴を形成して互いに嵌合させるダボ構造を採用することも可能である。このダボ構造の他にも着脱性を考慮し、面ファスナー構造を各板の縁辺部に配置してもよい。
【手続補正８】
【補正対象書類名】明細書
【補正対象項目名】００４８
【補正方法】変更
【補正の内容】
【００４８】
１  本箱体
２  側面板
２１  前後板
２１ａ  保持枠
２１ｂ  開口部
２２  左右板
２２ａ  装飾枠
２２ｂ  くり貫き部
２３  止具
２４  裏板
３  天面板
３１  分割体
３２  嵌合溝
４  底面板
４１  分割体
４２  嵌合溝
５  磁石
ｆ  写真
ｍ  壺
【手続補正９】
【補正対象書類名】図面
【補正対象項目名】図４
【補正方法】変更
【補正の内容】
【図４】
2020179922.tif 000010
【手続補正１０】
【補正対象書類名】図面
【補正対象項目名】図５
【補正方法】変更
【補正の内容】
【図５】
2020179922.tif 000011
【手続補正書】
【提出日】令和2年3月27日(2020.3.27)
【手続補正１】
【補正対象書類名】特許請求の範囲
【補正対象項目名】請求項１
【補正方法】変更
【補正の内容】
【請求項１】
それぞれ所定肉厚をもった略矩形状の面材からなる４枚の側面板、天面板、及び底面板、とから構成した組立分解を自在とした立方体状又は直方体状の箱体であって、
前記４枚の側面板は、対向配置した側面板の縁辺部と、該側面板と直角に対向配置した側面板の端面との所定位置に配置した着脱自在な接着手段の接合によって、前記各側面板を保持して矩形筒体を構成し、
前記天面板及び底面板は、これら各板面と直角を成す側面部と、前記各側面板の縁辺部との所定位置に配置した着脱自在な接着手段の接合によって、前記矩形筒体の開口部を閉塞して、内部が閉空間となる箱体を構成し、
かつ、前記天面板、底面板のいずれか又は両方の片面側には、前記箱体の分解状態において、前記４枚の側面板のうちの１枚の側面板の端面を含めた縁辺部が嵌合して自立させるための嵌合溝を前記接着手段とは別個に形成してなることを特徴とする組立分解自在な飾り用箱体。
【手続補正２】
【補正対象書類名】特許請求の範囲
【補正対象項目名】請求項４
【補正方法】変更
【補正の内容】
【請求項４】
前記天面板、底面板のいずれか又は両方のそれぞれを着脱自在な分割体として、それぞれの分割体に前記嵌合溝を形成したことを特徴とする請求項１、２、又は３記載の組立分解自在な飾り用箱体。
【手続補正３】
【補正対象書類名】明細書
【補正対象項目名】００１１
【補正方法】変更
【補正の内容】
【００１１】
すなわち、それぞれ所定肉厚をもった略矩形状の面材からなる４枚の側面板、天面板、及び底面板、とから構成した組立分解を自在とした立方体状又は直方体状の箱体であって、前記４枚の側面板は、対向配置した側面板の縁辺部と、該側面板と直角に対向配置した側面板の端面との所定位置に配置した着脱自在な接着手段の接合によって、前記各側面板を保持して矩形筒体を構成し、前記天面板及び底面板は、これら各板面と直角を成す側面部と、前記各側面板の縁辺部との所定位置に配置した着脱自在な接着手段の接合によって、前記矩形筒体の開口部を閉塞して、内部が閉空間となる箱体を構成し、かつ、前記天面板、底面板のいずれか又は両方の片面側には、前記箱体の分解状態において、前記４枚の側面板のうちの１枚の側面板の端面を含めた縁辺部が嵌合して自立させるための嵌合溝を前記接着手段とは別個に形成してなることを特徴としている。
【手続補正４】
【補正対象書類名】明細書
【補正対象項目名】００１３
【補正方法】変更
【補正の内容】
【００１３】
さらに、前記天面板、底面板のいずれか又は両方のそれぞれを着脱自在な分割体として、それぞれの分割体に前記嵌合溝を形成したことを特徴としている。
【手続補正５】
【補正対象書類名】明細書
【補正対象項目名】００２２
【補正方法】変更
【補正の内容】
【００２２】
［本箱体の概要］
本箱体１を構成する上記複数の矩形板は、前後左右の側面部分に配置され、縦横寸法を同じとする４枚の側面板２と、上側に配置される天面板３と、下側に配置される底面板４と、から構成している。天面板３の上面は各側面板２の上端面と面一とし、底面板４の下面は各側面板２の下端面と面一としている。また、本箱体１の接着手段は後述する各矩形板の必要箇所に面一に埋め込んだ複数の磁石５となっている。